(57)【要約】水及び汚染物質の粒子に対してより進入を許さないようにすることができる球面軸受構造のシール軸受を提供する。軸受ケーシング１と球状部２との間に配置されて内周側エッジ６及び外周側エッジ５を備える略環状のシール部４を備える球面軸受構造のシール軸受であって、各エッジ５、６の一方には、ヘッド部７及びそこから垂れ下がるスカート部１２が設けられ、ヘッド部７は、球状部２又は軸受ケーシング１の一方に形成される環状のグルーブ８の中に配置されて、固定されない状態で乗せられ、そして、スカート部１２は、グルーブ８から直立するリップ９上に配置されて球状部２又は軸受ケーシング１の一方とシール部４との間に少なくとも２条のシール用ラインを形成し、シール部４の各エッジ５、６の他方は、球状部２又は軸受ケーシング１の他方に固定的に取り付けられる。
2006522293.tif 000002
【特許請求の範囲】
【請求項１】
軸受ケーシングと、その中に配置される球状部、及び、前記軸受ケーシングと前記球状部との間に配置されて内周側エッジ及び外周側エッジを備える略環状のシール部を備える球面軸受構造のシール軸受であって、
前記各エッジの一方には、ヘッド部及びそこから垂れ下がるスカート部が設けられ、
前記ヘッド部は、前記球状部又は前記軸受ケーシングの一方に形成される環状のグルーブの中に配置されて、固定されない状態で乗せられ、
前記スカート部は、前記グルーブから直立するリップ上に配置されて前記球状部又は前記軸受ケーシングの一方と前記シール部との間に少なくとも２条のシール用ラインを形成し、
前記シール部の前記各エッジの他方は、前記球状部又は前記軸受ケーシングの他方に固定的に取り付けられる
ことを特徴とするシール軸受。
【請求項２】
前記グルーブは、前記球状部に形成され、
前記内周側エッジは、前記ヘッド部及びそこから垂れ下がる前記スカート部が設けられ、
前記外周側エッジは、前記軸受ケーシングに固定的に取り付けられる
ことを特徴とする請求項１に記載のシール軸受。
【請求項３】
前記スカート部は、前記ヘッド部から半径方向で内周側に向かうように形成される
ことを特徴とする請求項１又は２に記載のシール軸受。
【請求項４】
前記スカート部は、前記ヘッド部の谷底端部から先端部に向けて先細りするように形成される
ことを特徴とする請求項１〜３の何れか１項に記載のシール軸受。
【請求項５】
前記直立するリップは、前記グルーブの側壁である
ことを特徴とする請求項１〜４の何れか１項に記載のシール軸受。
【請求項６】
前記ヘッド部によって形成される第１のシール用ラインと、前記スカート部によって形成される第２のシール用ラインとの間には、ギャップが設けられる
ことを特徴とする請求項１〜５の何れか１項に記載のシール軸受。
【請求項７】
前記スカート部は、直立した前記リップの周囲の領域上でシール用に接触する
ことを特徴とする請求項１〜６の何れか１項に記載のシール軸受。
【請求項８】
本願明細書中によって略記述され、略添付図面に示される
ことを特徴とする球面軸受構造のシール軸受。
【発明の詳細な説明】
【技術分野】
【０００１】
本発明は、シール（密閉）された軸受（シール軸受）に関し、特に、球面軸受構造のシール軸受に関する。
【背景技術】
【０００２】
図１は、本発明によらない軸受ケーシング１０１及び球状部１０２を備えている球面軸受構造のシール軸受１００を示す部分断面図である
ロッド１０３は、球状部１０２から延伸されている。球状部１０２は、軸受ケーシング１０１に対して全方向に自由に回転することができ、停止させようとする唯一の制限は、ロッド１０３又は球状部２の一部が軸受ケーシング１０１にぶつかることによって発生する。
【０００３】
球状部１０２と軸受ケーシング１０１との間の軸受面を液体等（例えば、水及び汚染物質の粒子）の進入から保護するために、ゴム製の一対の環状のシール部１０４が、軸受ケーシング１０１の両側面で、軸受ケーシング１０１と球状部１０２との間に取り付けられる。
【０００４】
シール部１０４は、外周側エッジ１０５及び内周側エッジ１０６を備えている。外周側エッジ１０５は、軸受ケーシング１０１に固定的に取り付けられ、そして、内周側エッジ１０６では、お互いが付随するように一体的に形成されている球状部１０２とロッド１０３との間の接合点（接合部）に設けられるグルーブ１０８の中に、球根状のヘッド部１０７が乗せられるように終端が接合（接触）される。
【０００５】
シール部１０４には、グルーブ１０８の中の球根状のヘッド部１０７のシール用の接合（接触）を維持するために、グルーブ１０８が軸受ケーシング１０１の方に向かう動きに対応して折りたたまれ、さらに、グルーブ１０８が軸受ケーシング１０１の方から離れる動きに対応して拡張されるように、例えばコンチェルティナ（小形アコーディオン）のように同心で一連に折りたたまれる蛇腹部１０９が設けられる。
【発明の開示】
【発明が解決しようとする課題】
【０００６】
しかしながら、このような従来の球面軸受構造のシール軸受の構成では、水及び汚染物質の粒子の進入に対して、適切に機能はするもののいくらかの進入は許してしまうという問題があった。
【０００７】
本発明の課題は、上述した問題（水及び汚染物質の粒子のいくらかの進入を許す）を解決できる改良されたシール軸受を提供することを目的とする。
【課題を解決するための手段】
【０００８】
上記した目的を達成するために本発明のシール軸受は、軸受ケーシングと、その中に配置される球状部、及び、軸受ケーシングと球状部との間に配置されて内周側エッジ及び外周側エッジを備える略環状のシール部を備える球面軸受構造のシール軸受であって、
各エッジの一方には、ヘッド部及びそこから垂れ下がるスカート部が設けられ、
ヘッド部は、球状部又は軸受ケーシングの一方に形成される環状のグルーブの中に配置されて、固定されない状態で乗せられ、
そして、スカート部は、グルーブから直立するリップ上に配置されて、球状部又は軸受ケーシングの一方とシール部との間に少なくとも２条のシール用ラインを形成し、
シール部の各エッジの他方は、球状部又は軸受ケーシングの他方に固定的に取り付けられることを特徴とする。
【発明の効果】
【０００９】
本発明の球面軸受構造のシール軸受の構成では、水及び汚染物質の粒子に対してより進入を許さないようにすることができる。
【発明を実施するための最良の形態】
【００１０】
したがって本発明の一実施形態では、軸受ケーシング及びその中に配置される球状部を備え、その軸受ケーシングには、外周側軸受レース、内周側軸受レース、そして、各軸受レースの間のはさみ込まれる環状の弾性部分（シール部）を備えている球面軸受構造のシール軸受が提供される。
以下、本発明をより容易に理解できるようにするために、添付の図面を参照して例としての実施形態について説明する。
【００１１】
（第１実施形態）
図２は、本発明が適用される第１実施形態に係る球面軸受構造のシール軸受の部分断面図である。
図２に示されるように、本発明が適用されている球面軸受構造のシール軸受は、軸受ケーシング１及び球状部２を備えている。ロッド３は、球状部２から延伸され、そして好ましくは、球状部２と一体的に形成されている。球状部２は、軸受ケーシング１に対して全方向に自由に回転することができ、停止させようとする唯一の制限は、ロッド３又は球状部２の一部が軸受ケーシング１にぶつかることによって発生する。
【００１２】
球状部２と軸受ケーシング１との間の軸受面を液体等（例えば、水及び汚染物質の粒子）の進入から保護するために、ゴム製の一対のリングのようなシール部４が、軸受ケーシング１の両側面で、軸受ケーシング１と球状部２との間に取り付けられる。シール部４は、外周側エッジ５及び内周側エッジ６を備えている。
【００１３】
外周側エッジ５は、好ましくは、軸受ケーシング１の周囲に形成される環状溝に嵌入された後に、その位置でステイク（くい打ち）されるか、又は、クリンプ（曲げて形をつける）されることにより、軸受ケーシング１に固定的に取り付けられる。これにより、外周側エッジ５と軸受ケーシング１との間にシールが形成される。内周側エッジ６は、球状部２とロッド３との間の接合点（接合部）に設けられるグルーブ８の中に、球根状のヘッド部７が乗せられるように、その終端が接触される。
【００１４】
ヘッド部７は、次の理由によりグルーブ８に自由に乗る（追従する）ことができる：グルーブ８中で滑ること、及び、軸受ケーシング１に対して回転する球状部２（の一部）であるグルーブ８の任意の回転に対してヘッド部７が追従すること。したがって、ヘッド部７とグルーブ８との間には滑り接触があるので、それによりヘッド部７は、グルーブ８とシールされた接触状態を維持できる。
【００１５】
各グルーブ８は、一方の外周側の端部が直立して端部が丸められたリップ９となって終端され、そして他方の内周側の端部が直立する側面を備える環状の壁１０となって終端される半円形の雨どい形に形成される。
【００１６】
シール部４には、グルーブ８の中の球根状のヘッド部７によるシール用の接合（接触）を維持するために、グルーブ８が軸受ケーシング１の方向に向かう動きに応答して折りたたまれ、及び、グルーブ８が軸受ケーシング１から離れる方向に向かう動きに応答して拡張され、コンチェルティナ（小形アコーディオン）のように同心で一連に折りたたまれる蛇腹部１１が設けられる。
【００１７】
環状の球根状のヘッド部７は、図１に示されたシール部１０４の構成に加えて、ヘッド部７から突出してグルーブ８の外周側のリップ９を受ける凹形状であるスカート部１２を備えて形成される。スカート部１２は、ヘッド部７から半径方向で内周側に向かって、そしてヘッド部７の谷底端部から先端部に向けて先細りする（斜めになる）ように形成される。
【００１８】
スカート部１２は、リップ９に少なくとも一点で接触し、さらに好ましくは、リップ９の高い（外周側）位置の表面領域で接触する。その接触点又は接触領域は、スカート部１２と球状部２又はロッド３との間で、第２のシール用ライン又はバンドを形成する。この第２のシール用ライン又はバンドは、ヘッド部７とグルーブ８との間の第１のシール用ライン又はバンドに追加されるものである。このようにして、任意の液体又は汚染物質粒子から軸受面を隔離する２条のシール部４が提供される。
【００１９】
それに加えて、スカート部１２は、シール部４のスカート部１２とリップ９との間から液体を追放する（遮断する）ための補助機構を提供することができ、このことによりさらにシール部４のシール性を高めることができる。好ましくは、ヘッド部７によって形成される第１のシール用ラインとスカート部１２によって形成される第２のシール用ラインとの間には、図２に示すようにギャップが設けられる。
【００２０】
図２に示された軸受は、いわゆるハイブリッド（複合型）軸受である。しかし、図２からは、本実施形態の球面軸受が、弾性部分を有するハイブリッド軸受である必要はなく、非ハイブリッド軸受でも、このシール部４の改善による効果を得ることができることが認識できる。
【００２１】
従って、本実施形態のシール軸受は、軸受ケーシング１と、その中に配置される球状部２、及び、前記軸受ケーシング１と前記球状部２との間に配置されて内周側エッジ６及び外周側エッジ５を備える略環状のシール部４を備える球面軸受構造のシール軸受であって、各エッジ５、６の一方には、ヘッド部７及びそこから垂れ下がるスカート部１２が設けられ、ヘッド部７は、球状部２又は軸受ケーシング１の一方に形成される環状のグルーブ８の中に配置されて、固定されない状態で乗せられ、そして、スカート部１２は、グルーブ８から直立するリップ９上に配置されて球状部２又は軸受ケーシング１の一方とシール部４との間に少なくとも２条のシール用ラインを形成し、シール部４の各エッジ５、６の他方は、球状部２又は軸受ケーシング１の他方に固定的に取り付けられる。また、直立するリップ９は、グルーブ８の側壁であり、スカート部１２は、直立したリップ９の周囲の領域上でシール用に接触する。
【００２２】
このように本実施形態の球面軸受構造のシール軸受の構成では、水及び汚染物質の粒子に対してより進入を許さないようにすることができる。
【００２３】
（第２実施形態）
図３は、本発明が適用される第２実施形態に係る球面軸受構造のシール軸受の部分断面図である。
本実施形態の球面軸受には、図３に示されたように片側のみにシール部４が設けられ、球面軸受の片側だけをシールする必要がある場合を意図する半分のキャップ形状の軸受ケーシング１を備えられる。又、その場合には、１個のシール部４のみが必要になるので、軸受ケーシング１の片側のみを覆うように構成される。他の構成は第１実施形態と同様である。
【００２４】
このように本実施形態の球面軸受構造のシール軸受の構成でも、水及び汚染物質の粒子に対してもより進入を許さないようにすることができる。
【００２５】
上記した図２の及び図３の各実施形態の機械的な構成では、シール部４の外周側エッジ５が軸受ケーシング１に固定的に取り付けられ、そして、内周側エッジ６が球状部２のグルーブ８に乗せられる。しかし、逆にシール部４の内周側エッジ６を固定的に球状部２に取り付け、軸受ケーシング１のグルーブ８に外周側エッジ５を乗せるようにしても良い。
【００２６】
また、上記した各実施形態では、グルーブ８が一体的に形成された球状部２とロッド３との間の接合点（接合部）に設けられれているが、本発明はこの位置に設けられたグルーブ８に限られるものでないことは明らかである。例えば、グルーブ８は、球状部２の、より中心の側に配置されても良く、又は、球状部２の中心から離れて、よりロッド３の側に配置されても良い。
【００２７】
本願明細書中の「構成される」は、「含む又は成りたっている」を意味し、「構成されていること」は、「含んでいること又は成りたっていること」を意味する。
【００２８】
本願明細書中に記述した説明又は本願請求項又は添付図面に開示された本願発明の特徴は、適切に開示された効果を得るために開示された機能、方法又は工程を実施するための手段の用語又は特定の形で示されており、それらの特徴は、個々に又は任意の組み合わせでも、本発明を多様な形で実施するために利用することができる。
【図面の簡単な説明】
【００２９】
【図１】本発明によらない軸受ケーシング及び球状部を備えている従来の球面軸受構造のシール軸受の部分断面図である。
【図２】本発明が適用される第１実施形態に係る球面軸受構造のシール軸受の部分断面図である。
【図３】本発明が適用される第２実施形態に係る球面軸受構造のシール軸受の部分断面図である。
【符号の説明】
【００３０】
１、１０１  軸受ケーシング、
２、１０２  球状部、
３、１０３  ロッド、
４、１０４  シール部、
５、１０５  外周側エッジ、
６、１０６  内周側エッジ、
７、１０７  （球根状の）ヘッド部、
８、１０８  グルーブ、
９  リップ、
１０  （環状の）壁、
１１  蛇腹部、
１２  スカート部、
１００  （球面軸受構造の）シール軸受
【図１】
2006522293.tif 000003
【図２】
2006522293.tif 000004
【図３】
2006522293.tif 000005
【国際調査報告】
2006522293.tif 000006
2006522293.tif 000007